【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
遊技媒体を循環させる循環経路を有し、入賞の発生により遊技に使用可能な所定の遊技点を付与する封入式遊技機と、前記封入式遊技機と通信可能に接続され、遊技者所有の遊技用価値を用いて前記遊技点を付与する遊技用装置とを含む遊技用システムであって、
前記遊技用装置は、
第１制御手段と、
該第１制御手段と通信可能に接続された第２制御手段と、
遊技者所有の遊技用価値の範囲内で価値を引落として該引落とし相当分の遊技点を加算する加算要求情報を前記第１制御手段から前記第２制御手段を経由して前記封入式遊技機へ送信するための加算信号送信手段とを含み、
前記第２制御手段は、前記第１制御手段から送信されてきた前記加算要求情報を監視して適正であるか否かを判定する監視手段を含み、
前記監視手段は、前記加算要求情報と予め設定された基準値とに基づいて前記加算要求情報の適否を判定する、遊技用システム。
【請求項２】
遊技媒体を循環させる循環経路を有し、入賞の発生により遊技に使用可能な所定の遊技点を付与する封入式遊技機と通信可能に接続され、遊技者所有の遊技用価値を用いて前記遊技点を付与する遊技用装置であって、
第１制御手段と、
該第１制御手段と通信可能に接続された第２制御手段と、
遊技者所有の遊技用価値の範囲内で価値を引落として該引落とし相当分の遊技点を加算する加算要求情報を前記第１制御手段から前記第２制御手段を経由して前記封入式遊技機へ送信するための加算信号送信手段とを含み、
前記第２制御手段は、前記第１制御手段から送信されてきた前記加算要求情報を監視して適正であるか否かを判定する監視手段を含み、
前記監視手段は、前記加算要求情報と予め設定された基準値とに基づいて前記加算要求情報の適否を判定する、遊技用装置。
【請求項３】
前記第２制御手段は、前記封入式遊技機と前記遊技用装置との間の通信が可能となるように認証処理を行なう、請求項１に記載の遊技用システム。
【手続補正２】
【補正対象書類名】明細書
【補正対象項目名】０００１
【補正方法】変更
【補正の内容】
【０００１】
本発明は、遊技媒体を循環させる循環経路を有し、入賞の発生により遊技に使用可能な所定の遊技点を付与する封入式遊技機と、前記封入式遊技機と通信可能に接続され、遊技者所有の遊技用価値を用いて前記遊技点を付与する遊技用装置とを含む遊技用システム、および、前記遊技用装置に関する。
【手続補正３】
【補正対象書類名】明細書
【補正対象項目名】０００６
【補正方法】変更
【補正の内容】
【０００６】
（１）  本発明は、遊技媒体を循環させる循環経路を有し、入賞の発生により遊技に使用可能な所定の遊技点（遊技玉、遊技点）を付与する封入式遊技機（Ｐ台、Ｓ台）と、前記封入式遊技機と通信可能に接続され、遊技者所有の遊技用価値（たとえばカード残高、持玉数、あるいは貯玉数等）を用いて前記遊技点を付与する遊技用装置（ＣＵ）とを含む遊技用システムであって、
前記遊技用装置は、
第１制御手段（ＣＵ制御部３２３）と、
該第１制御手段と通信可能に接続された第２制御手段（セキュリティチップ（ＳＣ）３２５ｂ）と、
遊技者所有の遊技用価値の範囲内で価値を引落として該引落とし相当分の遊技点を加算する加算要求情報（図８、図１０、図３８、図３９、図１４９の加算玉数、図１５２の加算点数）を前記第１制御手段から前記第２制御手段を経由して前記封入式遊技機へ送信するための加算信号送信手段（図１４９の加算要求情報（加算玉数）のＰ台への送信）とを含み、
前記第２制御手段は、前記第１制御手段から送信されてきた前記加算要求情報を監視して適正であるか否かを判定する監視手段（図１５０のＳ２３１〜Ｓ２３４）を含み、
前記監視手段は、前記加算要求情報と予め設定された基準値とに基づいて前記加算要求情報の適否を判定する。
【手続補正４】
【補正対象書類名】明細書
【補正対象項目名】０００７
【補正方法】変更
【補正の内容】
【０００７】
このような構成によれば、遊技用装置が第１制御手段と第２制御手段とを含んでおり、遊技者所有の遊技用価値の範囲内で価値を引落して該引落し相当分の遊技点を加算する加算要求情報が第１制御手段から第２制御手段を経由して封入式遊技機へ送信され、第２制御手段がその第１制御手段から送信されてきた加算要求情報を監視して適正であるか否かを判定するために、不正が施された第１制御手段から送信されてきた不適正な加算要求情報に従って封入式遊技機が遊技点を加算するという不都合な事態に対処することが可能となる。
さらに、前記第２制御手段は、前記封入式遊技機と前記遊技用装置との間の通信が可能となるように認証処理を行なう。
【手続補正５】
【補正対象書類名】明細書
【補正対象項目名】００１３
【補正方法】変更
【補正の内容】
【００１３】
このような構成によれば、加算要求情報により加算される遊技点の加算数に関する異常が判定され、封入式遊技機がその異常な加算数に従った遊技点の加算を行なう不都合に対処することが可能となる。
【手続補正６】
【補正対象書類名】明細書
【補正対象項目名】００１５
【補正方法】変更
【補正の内容】
【００１５】
このような構成によれば、加算要求情報による遊技点の加算頻度に関する異常が判定され、封入式遊技機がその異常な加算頻度に従って遊技点の加算を行なう不都合に対処することが可能となる。
【手続補正７】
【補正対象書類名】明細書
【補正対象項目名】００１６
【補正方法】変更
【補正の内容】
【００１６】
（６）  本発明の他の態様は、遊技媒体を循環させる循環経路を有し、入賞の発生により遊技に使用可能な所定の遊技点（遊技玉、遊技点）を付与する封入式遊技機（Ｐ台、Ｓ台）と通信可能に接続され、遊技者所有の遊技用価値（たとえばカード残高、持玉数、あるいは貯玉数等）を用いて前記遊技点を付与する遊技用装置（ＣＵ）であって、
第１制御手段（ＣＵ制御部３２３）と、
該第１制御手段と通信可能に接続された第２制御手段（セキュリティチップ（ＳＣ）３２５ｂ）と、
遊技者所有の遊技用価値の範囲内で価値を引落として該引落とし相当分の遊技点を加算する加算要求情報（図８、図１０、図３８、図３９、図１４９の加算玉数、図１５２の加算点数）を前記第１制御手段から前記第２制御手段を経由して前記封入式遊技機へ送信するための加算信号送信手段（図１４９の加算要求情報（加算玉数）のＰ台への送信）とを含み、
前記第２制御手段は、前記第１制御手段から送信されてきた前記加算要求情報を監視して適正であるか否かを判定する監視手段（図１５０のＳ２３１〜Ｓ２３４）を含み、
前記監視手段は、前記加算要求情報と予め設定された基準値とに基づいて前記加算要求情報の適否を判定する。
【手続補正８】
【補正対象書類名】明細書
【補正対象項目名】００１７
【補正方法】変更
【補正の内容】
【００１７】
このような構成によれば、遊技者所有の遊技用価値の範囲内で価値を引落して該引落し相当分の遊技点を加算する加算要求情報が第１制御手段から第２制御手段を経由して封入式遊技機へ送信され、第２制御手段がその第１制御手段から送信されてきた加算要求情報を監視して適正であるか否かを判定するために、不正が施された第１制御手段から送信されてきた不適正な加算要求情報に従って封入式遊技機が遊技点を加算するという不都合な事態に対処することが可能となる。
【手続補正９】
【補正対象書類名】明細書
【補正対象項目名】００２３
【補正方法】変更
【補正の内容】
【００２３】
このような構成によれば、加算要求情報により加算される遊技点の加算数に関する異常が判定され、封入式遊技機がその異常な加算数に従った遊技点の加算を行なう不都合に対処することが可能となる。
【手続補正１０】
【補正対象書類名】明細書
【補正対象項目名】００２５
【補正方法】変更
【補正の内容】
【００２５】
このような構成によれば、加算要求情報による遊技点の加算頻度に関する異常が判定され、封入式遊技機がその異常な加算頻度に従って遊技点の加算を行なう不都合に対処することが可能となる。